(57)【要約】【課題】顧客に認知され易く、広告効果の向上を期待できる広告媒体、及び広告媒体を貼付した広告付レジカウンター、並びに広告媒体の広告効果に対する対価を算出する広告料算出システムを提供することを目的とする。【解決手段】一方の面に販売促進の対象である販促商品が印刷されるとともに、レジカウンター１の筐体表面に貼付可能な略シート状に形成した天板広告シール５、側面広告シール６、及び載置台広告シール７であることを特徴とする。【選択図】図１
2016206451.tif 000002
【特許請求の範囲】
【請求項１】
一方の面に販売促進の対象である販促商品が印刷されるとともに、レジカウンターの筐体表面に貼付可能な略シート状に形成した
広告媒体。
【請求項２】
請求項１に記載の広告媒体によって、筐体表面がラッピングされた
広告付レジカウンター。
【請求項３】
請求項２のレジカウンターに配置されるとともに、商品を購入した顧客の属性を示す顧客属性情報、及び購入した商品の情報を示す購入情報を関連付けて送信する送信手段を備えたＰＯＳ端末と、
通信回線を介して前記ＰＯＳ端末に接続されるとともに、前記顧客属性情報、及び前記購入情報を受信する受信手段を備えたサーバーとで構成した広告料算出システムであって、
前記サーバーに、
前記顧客属性情報、及び前記購入情報を関連付けて登録した販売実績テーブルを記憶するサーバー記憶手段と、
受信した前記顧客属性情報、及び前記購入情報を前記販売実績テーブルに登録するテーブル登録手段と、
前記レジカウンターに貼付された広告媒体の広告料を、前記販売実績テーブルに基づいて算出する広告料算出手段とを備え、
該広告料算出手段に、
前記顧客属性情報が、前記広告媒体に印刷された販促商品の売り込み対象である対象顧客を示す場合、該対象顧客を一人として、前記対象顧客の人数を示す対象顧客数に加算する対象顧客数加算処理と、
前記対象顧客数に基づいて広告料を算出する広告料算出処理とを備えた
広告料算出システム。
【請求項４】
前記広告料算出手段に、
前記対象顧客数が顧客数閾値を上回る場合、前記対象顧客数から前記顧客数閾値を減算した値に対する対価を顧客数成功報酬として算出する顧客数成功報酬算出処理と、
前記広告料に前記顧客数成功報酬を加算する成功報酬加算処理とを備えた
請求項３に記載の広告料算出システム。
【請求項５】
前記広告料算出手段に、
前記対象顧客が前記販促商品を購入したか否かを、前記販売実績テーブルに基づいて判定する購入判定処理と、
前記対象顧客が前記販促商品を購入した場合、前記販促商品の購入数量を、前記販促商品の販売総数に加算する販売総数加算処理と、
前記販売総数が販売数閾値を上回る場合、前記販売総数から前記販売数閾値を減算した値に対する対価を販売総数成功報酬として算出する販売総数成功報酬算出処理と、
前記広告料に前記販売総数成功報酬を加算する成功報酬加算処理とを備えた
請求項３または請求項４に記載の広告料算出システム。
【請求項６】
前記ＰＯＳ端末に、
前記顧客の顧客媒体に登録された媒体情報に基づいて、前記顧客属性情報を取得する顧客属性情報取得手段を備え、
前記サーバーの前記広告料算出手段に、
同一の前記対象顧客が前記販促商品を複数回購入したか否かを、前記販売実績テーブルに基づいて判定する再購入判定処理と、
同一の前記対象顧客が前記販促商品を複数回購入した場合、複数回購入した前記対象顧客を一人として、前記販促商品を複数回購入した人数を示す再購入者数に加算する再購入者数加算処理と、
前記再購入者数が再購入者数閾値を上回る場合、前記再購入者数から再購入者数閾値を減算した値に対する対価を再購入者数成功報酬として算出する再購入者数成功報酬算出処理と、
前記広告料に前記再購入者数成功報酬を加算する成功報酬加算処理とを備えた
請求項３から請求項５のいずれか１つに記載の広告料算出システム。
【発明の詳細な説明】
【技術分野】
【０００１】
この発明は、例えば、販売促進を所望する販促商品が印刷されたような広告媒体、及び広告媒体を貼付した広告付レジカウンター、並びに広告媒体の広告効果に対する対価を算出する広告料算出システムに関する。
【背景技術】
【０００２】
従来、コンビニエンスストア等の店舗において、顧客が購入を所望する商品の決済を行う機能を有する端末として、ＰＯＳ端末がレジカウンターに設置されている。
【０００３】
このＰＯＳ端末は、上述した決済を行う機能の他に、顧客の年齢層などの顧客情報を収集する機能や、収集した顧客情報や決済の情報を、通信回線を介して接続したサーバーに送信する機能を備えている。さらに、ＰＯＳ端末には、顧客に向けて設置された液晶モニターに、サーバーから取得した販売促進を所望する販促商品の広告情報を表示する機能など備えている。
【０００４】
そして、このような機能を有するＰＯＳ端末とサーバーを用いたシステムにおいて、取得した顧客情報と決済の情報に基づいて、広告情報の広告料を算出する技術が提案されている。
【０００５】
例えば、特許文献１では、顧客を特定するカードを用いて顧客が商品を購入した際、ＰＯＳ端末が、顧客のカード情報と、日時と、顧客が購入した商品と、ＰＯＳ端末の画面に表示された広告情報とを管理サーバーに送信する。
【０００６】
一方、管理サーバーは、顧客のカード情報と、日時と、顧客が購入した商品とを購入履歴データベースに登録するとともに、顧客が購入した商品、及び日時、顧客のカード情報と、広告情報の有効期限に対する残り時限と、ＰＯＳ端末の画面に表示された広告情報とを、広告履歴データベースに登録する。
【０００７】
その後、ＰＯＳ端末に表示された広告情報に対応する商品を、後日、顧客が購入した場合、管理サーバーが、購入履歴データベースと広告履歴データベースとを照合し、残り時限内であれば、成功報酬データベースに登録する。そして、管理サーバーは、成功報酬データベースの情報に基づいて手数料を算出するとされている。
【０００８】
しかしながら、決済中の顧客は、金銭を用意するために自身の財布と、液晶モニターに表示された表示金額とを交互に見ていることが多い。このため、液晶モニターに表示された広告画面が顧客の視界に入り難く、広告画面が顧客に認知されないおそれがあった。
【先行技術文献】
【特許文献】
【０００９】
【特許文献１】特開２００６−１４６７８２号公報
【発明の概要】
【発明が解決しようとする課題】
【００１０】
本発明は、上述の問題に鑑み、顧客に認知され易く、広告効果の向上を期待できる広告媒体、広告付レジカウンター、及び広告料算出システムを提供することを目的とする。
【課題を解決するための手段】
【００１１】
この発明は、一方の面に販売促進の対象である販促商品が印刷されるとともに、レジカウンターの筐体表面に貼付可能な略シート状に形成した広告媒体であることを特徴とする。  
上記レジカウンターは、顧客が購入を所望する商品を載置するとともに、会計に伴って流下する商品流路カウンター、商品流路カウンターとは別体でＰＯＳ端末を載置する端末載置台、あるいはこれらを組み合わせたレジカウンターとすることができる。
【００１２】
この発明により、レジカウンターの筐体表面に貼付された状態において、例えば、顧客が財布に視線を向けた場合であっても、顧客の視界に広告媒体が入り易くなる。これにより、広告媒体は、顧客に認知され易くなり、広告効果の向上を期待することができる。
【００１３】
またこの発明は、上述した広告媒体によって、筐体表面がラッピングされた広告付レジカウンターであることを特徴とする。  
この発明により、レジカウンターを利用する顧客や、その周辺を通過する顧客など不特定多数の顧客に広告媒体が認知され易くなるため、広告媒体の広告効果をより一層期待することができる。
【００１４】
またこの発明は、上述したレジカウンターに配置されるとともに、商品を購入した顧客の属性を示す顧客属性情報、及び購入した商品の情報を示す購入情報を関連付けて送信する送信手段を備えたＰＯＳ端末と、通信回線を介して前記ＰＯＳ端末に接続されるとともに、前記顧客属性情報、及び前記購入情報を受信する受信手段を備えたサーバーとで構成した広告料算出システムであって、前記サーバーに、前記顧客属性情報、及び前記購入情報を関連付けて登録した販売実績テーブルを記憶するサーバー記憶手段と、受信した前記顧客属性情報、及び前記購入情報を前記販売実績テーブルに登録するテーブル登録手段と、前記レジカウンターに貼付された広告媒体の広告料を、前記販売実績テーブルに基づいて算出する広告料算出手段とを備え、該広告料算出手段に、前記顧客属性情報が、前記広告媒体に印刷された販促商品の売り込み対象である対象顧客を示す場合、該対象顧客を一人として、前記対象顧客の人数を示す対象顧客数に加算する対象顧客数加算処理と、前記対象顧客数に基づいて広告料を算出する広告料算出処理とを備えたことを特徴とする。  
上記顧客の属性とは、顧客の年齢、年齢層、性別、あるいは職業などとすることができる。
【００１５】
この発明により、レジカウンターに貼付される広告媒体であっても、広告媒体の広告料を容易に算出することができる。  
具体的には、広告媒体の広告効果を算出すためには、例えば、販促商品を売り込みたい年齢層などの対象顧客が、少なくとも広告媒体を認知していることが必要となる。
【００１６】
一方、レジカウンターには、不特定多数の顧客に認知され易い状態で広告媒体が配置されているため、レジカウンターを利用した顧客を、広告媒体を認知した顧客として容易にみなすことができる。
【００１７】
そこで、広告料算出手段の対象顧客数加算処理により、広告料算出システムは、広告媒体を認知した対象顧客を定量化するとともに、対象顧客数を広告効果として算出することができる。そして、広告料算出手段の広告料算出処理により、広告料算出システムは、対象顧客数に応じた広告料を容易に算出することができる。
【００１８】
さらに、レジカウンターを利用した顧客の人数よりも対象顧客数の方が少ないため、広告料算出システムは、レジカウンターを利用した全ての顧客が広告媒体を認知したものとして広告料を算出した場合に比べて、広告主が店舗へ支払う広告料を抑えることができる。
【００１９】
加えて、店舗に支払う広告料から対象顧客数を容易に逆算できるため、広告主は、顧客情報や販売実績データなどの店舗が保有する情報を受け取ることなく、対象顧客数に対する費用対効果を算出することができる。  
従って、広告料算出システムは、広告料算出手段により、レジカウンターに貼付される広告媒体であっても、広告媒体の広告料を顧客属性情報に基づいて容易に算出することができる。
【００２０】
またこの発明の態様として、前記広告料算出手段に、前記対象顧客数が顧客数閾値を上回る場合、前記対象顧客数から前記顧客数閾値を減算した値に対する対価を顧客数成功報酬として算出する顧客数成功報酬算出処理と、前記広告料に前記顧客数成功報酬を加算する成功報酬加算処理とを備えることができる。
【００２１】
上記顧客数閾値は、予め定めた所定の値であって、広告媒体を認知した対象顧客の目標人数を示す値、対象顧客に対する費用対効果の目標値を示す値、あるいは適宜に設定した値などとすることができる。
【００２２】
この発明により、広告料算出システムは、目標とする人数を上回る人数の対象顧客に広告媒体が認知された場合、広告効果に応じた恩恵を店舗及び広告主の双方が受けるようにすることができる。  
具体的には、対象顧客数が顧客数閾値を上回った場合、すなわち目標とする人数を上回る人数の対象顧客に広告媒体が認知された場合、広告料に顧客数成功報酬が加算されるため、広告料算出システムは、レジカウンターが広告媒体でラッピングされた店舗側が得る利益を増やすことができる。
【００２３】
この際、対象顧客数から顧客数閾値を減算した値に基づいて顧客数成功報酬を算出するため、広告料算出システムは、対象顧客数に基づいて顧客数成功報酬を算出する場合に比べて、広告料の大幅な増加を抑制することができる。
【００２４】
このため、広告料算出システムは、顧客数成功報酬を支払った場合であっても、広告主の負担を抑制することができる。  
さらに、顧客数成功報酬によって店舗側の協力を得やすくなるため、広告主は、店舗での販促商品の販売促進活動をより容易にすることができる。
【００２５】
これにより、広告料算出システムは、広告料に加えて顧客数成功報酬を得るという恩恵を店舗側が受けやすくすることができ、かつ広告媒体による恩恵を店舗側が受けることで、販売促進活動が容易になるという恩恵を広告主が受けやすくすることができる。
【００２６】
従って、広告料算出システムは、目標とする人数を上回る人数の対象顧客に広告媒体が認知された場合、広告料に顧客数成功報酬を加算することで、店舗及び広告主の双方が恩恵を受けるようにすることができる。
【００２７】
またこの発明の態様として、前記広告料算出手段に、前記対象顧客が前記販促商品を購入したか否かを、前記販売実績テーブルに基づいて判定する購入判定処理と、前記対象顧客が前記販促商品を購入した場合、前記販促商品の購入数量を、前記販促商品の販売総数に加算する販売総数加算処理と、前記販売総数が販売数閾値を上回る場合、前記販売総数から前記販売数閾値を減算した値に対する対価を販売総数成功報酬として算出する販売総数成功報酬算出処理と、前記広告料に前記販売総数成功報酬を加算する成功報酬加算処理とを備えることができる。
【００２８】
上記販売数閾値は、予め定めた所定の値であって、広告媒体に係る広告費用を回収できる販売数の目標値、販売総数に対する費用対効果の目標値を示す値、あるいは適宜に設定した値などとすることができる。
【００２９】
この発明により、広告料算出システムは、目標とする販売数を上回る数量の販促商品が購入された場合、店舗及び広告主の双方が恩恵を受けるようにすることができる。  
具体的には、販売総数が販売数閾値を上回った場合、すなわち目標とする販売数を上回る数量の販促商品が購入された場合、広告料に販売総数成功報酬が加算されるため、広告料算出システムは、レジカウンターが広告媒体でラッピングされた店舗側が得る利益を増やすことができる。
【００３０】
さらに、販促商品の販売総数から販売数閾値を減算した値に基づいて販売総数成功報酬を算出しているため、広告料算出システムは、対象顧客が購入した販売総数に基づいて販売総数成功報酬を算出する場合に比べて、広告料の大幅な増加を抑制することができる。
【００３１】
これにより、広告料算出システムは、販売総数成功報酬によって広告費用を広告主が回収できなくなることを防止できる。例えば、広告媒体にかかる広告費用相当の販売数を販売数閾値とすることで、広告主は、少なくとも広告費用を回収したうえで、販売総数成功報酬を店舗側へ支払うことができる。
【００３２】
加えて、販売総数成功報酬から販売総数を容易に逆算できるため、広告主は、顧客情報や販売実績データなどの店舗が保有する情報を受け取ることなく、販売総数に対する費用対効果を算出することができる。
【００３３】
従って、広告料算出システムは、目標とする販売数を上回る数量の販促商品が購入された場合、広告料に販売総数成功報酬を加算することで、店舗及び広告主の双方が恩恵を受けるようにすることができる。
【００３４】
またこの発明の態様として、前記ＰＯＳ端末に、前記顧客の顧客媒体に登録された媒体情報に基づいて、前記顧客属性情報を取得する顧客属性情報取得手段を備え、前記サーバーの前記広告料算出手段に、同一の前記対象顧客が前記販促商品を複数回購入したか否かを、前記販売実績テーブルに基づいて判定する再購入判定処理と、同一の前記対象顧客が前記販促商品を複数回購入した場合、複数回購入した前記対象顧客を一人として、前記販促商品を複数回購入した人数を示す再購入者数に加算する再購入者数加算処理と、前記再購入者数が再購入者数閾値を上回る場合、前記再購入者数から再購入者数閾値を減算した値に対する対価を再購入者数成功報酬として算出する再購入者数成功報酬算出処理と、前記広告料に前記再購入者数成功報酬を加算する成功報酬加算処理とを備えることができる。
【００３５】
上記顧客媒体は、店舗から顧客に提供された会員カード、あるいはポイントカードなどとすることができる。  
上記媒体情報は、顧客ごとに固有の会員番号を示す情報、顧客の氏名を示す情報、性別を示す情報、生年月日を示す情報、あるいはこれらを組み合わせた情報などとすることができる。
【００３６】
上記顧客属性情報取得手段は、顧客媒体を読み取るカードリーダー、あるいはサーバーに記憶された顧客属性情報を、通信回線を介して取得する手段などとすることができる。  
上記再購入者数閾値は、予め定めた所定の値であって、再購入者数の目標値を示す値、再購入者数に対する費用対効果の目標値を示す値、あるいは適宜に設定した値などとすることができる。
【００３７】
この発明により、広告料算出システムは、目標とする人数を上回る再購入者数を獲得できた場合、店舗及び広告主の双方が恩恵を受けるようにすることができる。  
具体的には、再購入者数が再購入者数閾値を上回った場合、すなわち目標とする人数を上回る再購入者数を獲得できた場合、広告料に再購入者数成功報酬が加算されるため、広告料算出システムは、レジカウンターが広告媒体でラッピングされた店舗側が得る利益を増やすことができる。
【００３８】
さらに、販促商品を複数回購入した対象顧客を顧客媒体によって容易に特定できるため、広告料算出システムは、再購入者数をより正確に算出するとともに、再購入者数の不正な計上によって、再購入者数成功報酬を店舗側が不正に取得することを防止できる。
【００３９】
加えて、再購入者数成功報酬から再購入者数を容易に逆算できるため、広告主は、顧客情報や販売実績データなどの店舗が保有する情報を受け取ることなく、再購入者数に対する費用対効果を算出することができる。
【００４０】
従って、広告料算出システムは、目標とする再購入者数を獲得できた場合、広告料に再購入者数成功報酬を加算することで、店舗及び広告主の双方が恩恵を受けるようにすることができる。
【発明の効果】
【００４１】
本発明により、顧客に認知され易く、広告効果の向上を期待できる広告媒体、広告付レジカウンター、及び広告料算出システムを提供することができる。
【図面の簡単な説明】
【００４２】
【図１】レジカウンターの外観を示す外観斜視図。
【図２】広告料算出システムの構成を示すシステム構成図。
【図３】広告料算出システムの内部構成を示すブロック図。
【図４】販売実績テーブルの構成を示すテーブル構成図。
【図５】集計テーブルの構成を示すテーブル構成図。
【図６】ＰＯＳ装置における端末処理の動作を示すフローチャート。
【図７】顧客属性入力画面を説明する説明図。
【図８】店舗サーバーにおける広告料算出処理の動作を示すフローチャート。
【図９】広告料算出処理における集計処理の動作を示すフローチャート。
【図１０】広告料算出処理における成功報酬算出処理の動作を示すフローチャート。
【発明を実施するための形態】
【００４３】
この発明の一実施形態を以下図面と共に説明する。  
本実施形態は、複数の商品を取り扱う店舗内において、レジカウンター１に配置された広告媒体の広告料を算出する広告料算出システム１１について、図１から図５を用いて説明する。
【００４４】
なお、図１はレジカウンター１の外観斜視図を示し、図２は広告料算出システム１１のシステム構成図を示し、図３は広告料算出システム１１のブロック図を示し、図４は販売実績テーブル３３ａのテーブル構成図を示し、図５は集計テーブル３３ｂのテーブル構成図を示している。
【００４５】
まず、本実施形態におけるレジカウンター１、及び広告媒体（天板広告シール５、側面広告シール６、載置台広告シール７、旗状広告物８、床面広告シール９、及び立体広告物１０）について、図１を用いて説明する。
【００４６】
レジカウンター１は、図１に示すように、複数の商品を取り扱う店舗内において、商品の購入を所望する顧客が通過する顧客通路２に隣接して配置される商品流路カウンター３と、商品流路カウンター３に隣接して配置された端末載置台４と、ＰＯＳ装置２０とで構成している。
【００４７】
商品流路カウンター３は、顧客通路２を通過する顧客の進行方向に沿って長い平面視略矩形であって、商品などが載置される天板部分３ａと、天板部分３ａを下方から支持する側面部分３ｂとで一体構成している。
【００４８】
さらに、商品流路カウンター３は、天板部分３ａの表面における略全面が、天板広告シール５によってラッピングされるとともに、側面部分３ｂの表面における略全面が、側面広告シール６によってラッピングされている。
【００４９】
天板広告シール５、及び側面広告シール６は、販売促進を所望する販促商品が一方の面に印刷され、粘着剤を他方の面に設けた略シート状の広告媒体であって、それぞれ天板部分３ａ、及び側面部分３ｂの大きさに合わせて形成している。
【００５０】
端末載置台４は、商品流路カウンター３よりも高さの高い略立方体であって、商品流路カウンター３を挟んで顧客通路２とは逆側の位置に配置されている。さらに、端末載置台４は、側面部分（図示省略）の表面における略全面が、載置台広告シール７によってラッピングされている。  
載置台広告シール７は、その大きさが異なる点を除いて、天板広告シール５、及び側面広告シール６と同様の構成の広告媒体のため、その詳細な説明を省略する。
【００５１】
加えて、端末載置台４には、のぼり旗形状の旗状広告物８を、後述するＰＯＳ装置２０の本体端末２０ｂに近接して配置している。この旗状広告物８は、一方の面に販促商品が印刷され、他方の面に粘着剤を設けた広告シールを旗部分に貼付した構成の広告媒体である。
【００５２】
さらに、レジカウンター１の近傍には、図１に示すように、商品流路カウンター３の前における顧客通路２に床面広告シール９を貼付するとともに、端末載置台４の近傍に立体広告物１０を載置している。
【００５３】
床面広告シール９は、販促商品の形状に形成されている点を除いて、天板広告シール５、及び側面広告シール６と同様の構成の広告媒体のため、その詳細な説明を省略する。  
立体広告物１０は、起き上がり小法師のような立体広告物であって、一方の面に販促商品が印刷され、他方の面に粘着剤を設けた広告シールを表面に貼付した構成の広告媒体である。
【００５４】
なお、上述した広告媒体（天板広告シール５、側面広告シール６、載置台広告シール７、旗状広告物８、床面広告シール９、及び立体広告物１０）は、所定の広告期間中、レジカウンター１に貼付される、あるいは顧客通路２に配置されるものとする。
【００５５】
ＰＯＳ装置２０は、商品流路カウンター３に載置された商品読取り端末２０ａと、端末載置台４に載置された本体端末２０ｂと、商品読取り端末２０ａ、及び本体端末２０ｂを接続する通信ケーブル２０ｃ（図２参照）とで一体的に構成している。なお、ＰＯＳ装置２０については、後ほど詳しく説明する。
【００５６】
次に、上述した広告媒体の広告料を算出する広告料算出システム１１について、図２から図５を用いて詳しく説明する。  
広告料算出システム１１は、図２及び図３に示すように、同一店舗内に配置した複数のＰＯＳ装置２０と、第１通信回線１２を介してＰＯＳ装置２０に接続された店舗サーバー３０と、第２通信回線１３を介して店舗サーバー３０に接続された外部サーバー４０とで構成している。
【００５７】
ＰＯＳ装置２０は、図２及び図３に示すように、商品読取り端末２０ａに配置された商品読取り部２１、及び第１操作・表示部２２と、本体端末２０ｂに配置された入出金機構部２３、カード読取り部２４、第２操作・表示部２５、印刷機構部２６、端末記憶部２７、端末回線接続部２８、及び端末制御部２９とで構成している。
【００５８】
商品読取り部２１は、固定式レーザーなどで構成するとともに、商品に貼付あるいは印字されたバーコードを読み取る機能と、読み取ったバーコードを示すバーコード情報を、通信ケーブル２０ｃを介して端末制御部２９に送信する機能とを有している。
【００５９】
第１操作・表示部２２は、店員の操作を受付ける機能と、顧客の性別や年齢層などの顧客属性の入力操作を受付ける機能と、商品の決済にかかる各種情報を表示する機能とを兼ね備えたタッチパネルで構成している。  
入出金機構部２３は、顧客が支払った金銭を受付けて収納するトレイ（図示省略）を有するとともに、金銭の入出金機能、及び収納機能などを有している。
【００６０】
カード読取り部２４は、顧客が所有する顧客カードに登録されたカード情報を読み取る機能と、読み取ったカード情報を端末制御部２９に送信する機能とを有している。なお、顧客カードには、顧客ごとに割り振られた顧客固有の会員番号を、カード情報として登録している。
【００６１】
第２操作・表示部２５は、店員の操作を受付ける機能と、顧客の性別や年齢層などの顧客属性の入力操作を受付ける機能と、商品の決済にかかる各種情報を表示する機能とを兼ね備えたタッチパネルで構成している。  
印刷機構部２６は、決済ごとに付与される決済番号、及び決済内容を関連付けてレシートに印字する機能と、印字したレシートを排出する機能とを有している。
【００６２】
端末記憶部２７は、ハードディスク等で構成し、各種情報の書み込み、及び読み出しを行う機能を有している。なお、端末記憶部２７には、バーコード情報と、バーコード情報に対応する商品名、及び単価とを関連付けて記憶している。  
端末回線接続部２８は、ＬＡＮカードなどで構成し、第１通信回線１２に接続する機能と、第１通信回線１２を介して店舗サーバー３０と各種情報の送受信を行う機能とを有している。
【００６３】
端末制御部２９は、ＣＰＵ、及びメモリ等のハード構成と、プログラム、及びデータ等のソフト構成とで構成し、店員がＰＯＳ装置２０を操作して商品の決済を行う決済操作等の各種処理機能や、所定のバスを介して接続された各部の動作を制御する制御機能を有している。
【００６４】
また、店舗サーバー３０は、ＰＯＳ装置２０と同一店舗内に設置するとともに、第１通信回線１２を介して複数のＰＯＳ装置２０と決済にかかる各種情報の授受と、第２通信回線１３を介して複数の外部サーバー４０と販売実績等にかかる各種情報の授受とを行う。
【００６５】
この店舗サーバー３０は、図２及び図３に示すように、サーバー表示部３１と、サーバー入力部３２と、サーバー記憶部３３と、サーバー回線接続部３４と、これらを制御するサーバー制御部３５とで構成している。
【００６６】
サーバー表示部３１は、ＣＲＴあるいは液晶ディスプレイなどで構成し、各種情報を表示する機能を有している。  
サーバー入力部３２は、キーボード３２ａやマウス３２ｂで構成し、店舗担当者による入力操作を受け付ける機能を有している。
【００６７】
サーバー記憶部３３は、ハードディスク等で構成し、各種情報の書み込み、及び読み出しを行う機能を有している。このサーバー記憶部３３には、複数のＰＯＳ装置２０から取得した決済情報を順次登録した販売実績テーブル３３ａと、広告期間の決済情報を販売実績テーブル３３ａから抽出するとともに、集計した集計テーブル３３ｂなどを記憶している。なお、決済情報については後ほど詳しく説明する。
【００６８】
販売実績テーブル３３ａは、図４に示すように、商品が購入された日付と、商品購入の時刻と、ＰＯＳ装置２０が発行したレシートに印字した決済番号と、顧客の年齢層と、顧客の性別と、顧客カードの会員番号と、顧客が購入した商品名と、商品の単価と、購入された商品の数量と、購入された商品の小計とを決済ごとに関連付けて構成している。
【００６９】
集計テーブル３３ｂは、図５に示すように、顧客の年齢層と、顧客の性別と、顧客カードの有無と、広告期間中にレジカウンター１を利用した利用回数と、販促商品を購入した購入回数と、購入した販促商品の購入数量と、レジカウンターを利用した時間帯とを、顧客ごとに関連付けて構成している。
【００７０】
なお、集計テーブル３３ｂには、顧客の年齢層、顧客の性別、及び顧客カードの有無を、顧客属性として登録し、販促商品を購入した購入回数、購入した販促商品の購入数量、及びレジカウンターを利用した時間帯を、販促商品購入履歴として登録している。
【００７１】
サーバー回線接続部３４は、ＬＡＮカードなどで構成し、第１通信回線１２に接続する機能と、第１通信回線１２を介してＰＯＳ装置２０と各種情報の送受信を行う機能と、第２通信回線１３に接続する機能と、第２通信回線１３を介して外部サーバー４０と各種情報の送受信を行う機能とを有している。
【００７２】
サーバー制御部３５は、ＣＰＵ、及びメモリ等のハード構成と、プログラム、及びデータ等のソフト構成とで構成し、店舗担当者が店舗サーバー３０を操作して商品の販売実績や動向などを確認する確認操作、及び広告料の算出を行う算出操作等の各種処理機能や、所定のバスを介して接続された各部の動作を制御する制御機能を有している。
【００７３】
また、外部サーバー４０は、遠隔地の本店などに設置するとともに、第２通信回線１３を介して複数の店舗サーバー３０と販売実績等にかかる各種情報の授受を行う。  
この外部サーバー４０は、図３に示すように、記憶部４１と、回線接続部４２と、これらを制御する制御部４３とで構成している。
【００７４】
記憶部４１は、ハードディスク等で構成し、各種情報の書み込み、及び読み出しを行う機能を有している。この記憶部４１には、顧客固有の情報を示す顧客情報を登録した顧客情報ファイル４１ａと、複数の店舗サーバー３０から取得した販売実績テーブル３３ａの情報を登録した販売実績集約ファイル４１ｂなどを記憶している。
【００７５】
なお、顧客情報ファイル４１ａには、顧客カードの会員番号、顧客の氏名、住所、電話番号、性別、生年月日、及び生年月日に基づいて算出した年齢層などの情報を、顧客ごとに関連付けて登録している。
【００７６】
回線接続部４２は、ＬＡＮカードなどで構成し、第２通信回線１３に接続する機能と、第２通信回線１３を介して店舗サーバー３０と各種情報の送受信を行う機能とを有している。
【００７７】
制御部４３は、ＣＰＵ、及びメモリ等のハード構成と、プログラム、及びデータ等のソフト構成とで構成し、第２通信回線１３を介した店舗サーバー３０との各種情報の受け渡しにかかる各種処理機能や、所定のバスを介して接続された各部の動作を制御する制御機能を有している。
【００７８】
引き続き、このような構成の広告料算出システム１１において、レジカウンター１に配置された広告媒体の広告料を算出する動作について、図６から図１０を用いて詳しく説明する。  
なお、図６はＰＯＳ装置２０における端末処理のフローチャートを示し、図７は顧客属性入力画面５０を説明する説明図を示し、図８は店舗サーバー３０における広告料算出処理のフローチャートを示し、図９は広告料算出処理における集計処理のフローチャートを示し、図１０は広告料算出処理における成功報酬算出処理のフローチャートを示している。
【００７９】
まず、店舗に来店した顧客が、購入を所望する商品をレジカウンター１に持参すると、店員は、ＰＯＳ装置２０の本体端末２０ｂを操作して、商品の決済を開始する。  
店員による操作を受付けると、端末制御部２９は、図６に示すように、端末処理を開始して、決済にかかる各種操作を案内する決済画面（図示省略）を、第１操作・表示部２２、及び第２操作・表示部２５に表示する（ステップＳ１０１）。
【００８０】
この決済画面には、決済にかかる案内メッセージが表示されるとともに、カード読取り部２４による顧客カードの読取りを促すカード読取りボタン、及び顧客の性別などを店員の操作によって入力する顧客属性入力開始ボタンなどが表示されている。
【００８１】
その後、端末制御部２９は、カード読取りボタンを店員が押下したか否かを判定する（ステップＳ１０２）。店員によってカード読取りボタンが押下されると（ステップＳ１０２：Ｙｅｓ）、端末制御部２９は、カード読取り部２４による顧客カードの読取りが完了したか否かを判定する（ステップＳ１０３）。
【００８２】
顧客カードの読取りが完了していなければ（ステップＳ１０３：Ｎｏ）、端末制御部２９は、顧客カードの読取りが完了するまで待機する。  
一方、顧客カードの読取りが完了した場合（ステップＳ１０３：Ｙｅｓ）、端末制御部２９は、顧客属性情報取得処理を開始し（ステップＳ１０４）、読み取ったカード情報に基づいて、外部サーバー４０から顧客属性情報を取得する。
【００８３】
具体的には、端末制御部２９は、店舗サーバー３０を介して、外部サーバー４０にカード情報を送信し、カード情報に対応する顧客属性情報の送信を要求する。  
これに対して、外部サーバー４０の制御部４３は、記憶部４１の顧客情報ファイル４１ａから、受信したカード情報に対応する性別を示す情報、年齢層を示す情報を読み出す。
【００８４】
そして、制御部４３は、性別を示す情報、年齢層を示す情報、及びカード情報を顧客属性情報として、店舗サーバー３０を介してＰＯＳ装置２０に送信する。その後、ＰＯＳ端末２０の端末制御部２９は、取得した顧客属性情報を一時記憶するとともに、第１操作・表示部２２、及び第２操作・表示部２５に表示する。
【００８５】
なお、図６のステップＳ１０２において、カード読取りボタンが押下されず、顧客属性入力開始ボタンが押下された場合（ステップＳ１０２：Ｎｏ）、端末制御部２９は、店員による顧客属性の入力操作を受付ける顧客属性入力処理を開始する（ステップＳ１０５）。  
詳しくは、顧客属性入力処理を開始すると、端末制御部２９は、顧客属性入力画面５０を第１操作・表示部２２、及び第２操作・表示部２５に表示する。
【００８６】
この顧客属性入力画面５０には、図７に示すように、「顧客の性別、年齢層を入力してください」という案内メッセージと、顧客の性別の選択を促す性別選択ボタンとして「男性」ボタン５１、及び「女性」ボタン５２とを画面上部に表示している。
【００８７】
さらに、顧客の年齢層の選択を促す年齢層選択ボタンとして、「１０代未満」ボタン５３、「１０代」ボタン５４、「２０代」ボタン５５、「３０代」ボタン５６、「４０代」ボタン５７、「５０代」ボタン５８、「６０代」ボタン５９、及び「７０代以上」ボタン６０を画面中央に表示するとともに、選択完了を示す「ＯＫ」ボタン６１を画面下部に表示している。
【００８８】
その後、顧客の容姿に応じた性別選択ボタン、及び年齢層選択ボタンを店員が押下するとともに、「ＯＫ」ボタン６１を店員が押下すると、端末制御部２９は、選択押下されたボタンに対応する性別を示す情報、及び年齢層を示す情報を関連付けるとともに、顧客属性情報として一時記憶する。
【００８９】
例えば、「女性」ボタン５２、及び「２０代」ボタン５５が押下された場合、端末制御部２９は、「女性」を示す情報と、「２０代」を示す情報とを関連付けて、顧客属性情報として一時記憶する。
【００９０】
外部サーバー４０から顧客属性情報を取得する、あるいは店員による入力操作によって顧客属性情報を取得すると、端末制御部２９は、商品の会計を行う会計処理を開始する（ステップＳ１０６）。この際、店員は、商品のバーコードを商品読取り部２１にかざして、バーコードを読み取らせる。
【００９１】
会計処理を開始すると、端末制御部２９は、商品読取り部２１から取得したバーコード情報に対応する商品名、及び単価などの情報を端末記憶部２７から読み出して、一時記憶する。その後、端末制御部２９は、単価と数量とに基づいて算出した小計を、商品名、単価、及び数量とともに、第１操作・表示部２２、及び第２操作・表示部２５に表示する。
【００９２】
このようにして、顧客が購入を所望する全て商品を商品読取り部２１に読み取らせると、店員は、第１操作・表示部２２の案内画面に従って商品の読取り完了を示すボタン（図示省略）を押下する。
【００９３】
全ての商品の読取りが完了すると、端末制御部２９は、全ての商品名、数量などとともに、合計金額、及び決済番号を第１操作・表示部２２、及び第２操作・表示部２５に表示する。そして、顧客から受け取った代金を店員が第２操作・表示部２５を操作して入力すると、端末制御部２９は、釣り銭を算出して第２操作・表示部２５に表示するとともに、入出金機構部２３のトレイを排出する。
【００９４】
さらに、端末制御部２９の指示により、印刷機構部２６は、商品名、単価、数量、小計、合計金額、受け取った代金、釣り銭の金額、及び決済番号を印字したレシートを排出して、会計処理を完了する。この際、端末制御部２９は、会計を行った日時、発行した決済番号、顧客が購入した商品名、単価、数量、及び小計を関連付けるととともに、購入情報として一時記憶する。
【００９５】
会計処理を完了すると、端末制御部２９は、決済情報送信処理を開始し（ステップＳ１０７）、一時記憶した顧客属性情報、及び購入情報を関連付けるとともに、決済情報として第１通信回線１２を介して店舗サーバー３０に送信する。その後、端末制御部２９は、端末処理を終了する。  
なお、決済情報を受信した店舗サーバー３０のサーバー制御部３５は、取得した決済情報を、販売実績テーブル３３ａに登録する。
【００９６】
次に、店舗サーバー３０において、レジカウンター１に配置した広告媒体の広告料を、レジカウンター１を利用した顧客に基づいて算出する広告料算出処理について、図８から図１０を用いて説明する。
【００９７】
店舗担当者の操作を受付けて広告料算出処理を開始すると、店舗サーバー３０のサーバー制御部３５は、図６に示すように、販売実績テーブル３３ａをサーバー記憶部３３から読み出して、一時記憶する（ステップＳ１１１）。その後、サーバー制御部３５は、販売実績テーブル３３ａに基づいて、集計テーブル３３ｂを作成する集計テーブル作成処理を開始する（ステップＳ１１２）。
【００９８】
具体的には、サーバー制御部３５は、広告媒体の広告期間中における決済情報を販売実績テーブル３３ａから抽出する。その後、サーバー制御部３５は、抽出した広告期間中の決済情報を、顧客ごとに集計して集計テーブル３３ｂに登録するとともに、集計テーブル３３ｂをサーバー記憶部３３に記憶させる。
【００９９】
この際、サーバー制御部３５は、同一の会員番号が複数登録されているか否かを検索し、同一の会員番号が登録されている場合、「利用回数」、「購入回数」、及び「購入数量」を集計して集計テーブル３３ｂに登録するとともに、「購入時間帯」に複数の「○」を登録することで、顧客ごとの集計とする。
【０１００】
例えば、集計テーブル３３ｂにおける１つの決済情報が、顧客カードを有する２０代女性が、レジカウンター１を１度だけ利用したことを示す場合、サーバー制御部３５は、集計テーブル３３ｂの顧客属性における「２０代」の「女性」に「○」を登録し、「会員」に「○」を登録するとともに、「利用回数」に「１」を登録する。
【０１０１】
さらに、当該顧客が販促商品を１５時３０分に１回購入したことを示す決済情報の場合、サーバー制御部３５は、集計テーブル３３ｂの「購入回数」に「１」を登録し、「購入数量」に顧客が購入した販促商品の数量を登録するとともに、「購入時間帯」の「１５時〜」に「○」を登録する。
【０１０２】
集計テーブル作成処理が完了すると、サーバー制御部３５は、集計テーブル３３ｂに基づいて、販促商品を売り込みたい顧客属性の顧客数を示す対象顧客数Ｔ、購入された販促商品の総数を示す販売総数Ｎ、及び販促商品を複数回購入した顧客数を示す再購入者数Ｒを集計する集計処理を開始する（ステップＳ１１３）。
【０１０３】
なお、販促商品を売り込みたい顧客属性は、販促商品を売り込みたい特定の性別、特定の年齢層、あるいはこれらの組み合わせた顧客層であって、広告媒体の広告主が予め設定しているものとする。
【０１０４】
集計処理を開始すると、サーバー制御部３５は、図９に示すように、初期化処理を開始し（ステップＳ１２１）、対象顧客数Ｔ、販売総数Ｎ、及び再購入者数Ｒに「０」を代入して更新することで初期化する。
【０１０５】
その後、サーバー制御部３５は、サーバー記憶部３３から集計テーブル３３ｂを読み出すとともに、集計テーブル３３ｂの「顧客属性」に登録された顧客ごとの情報を顧客属性情報として読み出して一時記憶する（ステップＳ１２２）。  
顧客属性情報を一時記憶すると、サーバー制御部３５は、顧客属性情報が販促商品を売り込みたい対象顧客層か否かを判定する（ステップＳ１２３）。
【０１０６】
例えば、対象顧客層が「２０代女性」であって、集計テーブル３３ｂの「顧客属性」における「２０代」の「女性」に「○」が登録された顧客ごとの情報を顧客属性情報として読み出した場合、サーバー制御部３５は、顧客属性情報が対象顧客層であると判定する。
【０１０７】
顧客属性情報が対象顧客層である場合（ステップＳ１２３：Ｙｅｓ）、サーバー制御部３５は、集計テーブル３３ｂの「利用回数」に登録された値を、対象顧客数Ｔに加算して、対象顧客数Ｔを更新する（ステップＳ１２４）。
【０１０８】
対象顧客数Ｔを更新すると、サーバー制御部３５は、集計テーブル３３ｂの「購入回数」に基づいて、当該顧客が販促商品を購入したか否かを判定する（ステップＳ１２５）。販促商品を購入した場合（ステップＳ１２５：Ｙｅｓ）、サーバー制御部３５は、集計テーブル３３ｂの「購入数量」に登録された値を、販売総数Ｎに加算して販売総数Ｎを更新する（ステップＳ１２６）。
【０１０９】
販売総数Ｎを更新すると、サーバー制御部３５は、集計テーブル３３ｂの「購入回数」が「２」以上であるか否かを判定する（ステップＳ１２７）。「購入回数」が「２」以上の場合（ステップＳ１２７：Ｙｅｓ）、サーバー制御部３５は、再購入者数Ｒに「１」を加算して再購入者数Ｒを更新する（ステップＳ１２８）。
【０１１０】
その後、サーバー制御部３５は、集計テーブル３３ｂに登録された全データの集計が完了したか否かを判定する（ステップＳ１２９）。全データの集計が完了した場合（ステップＳ１２９：Ｙｅｓ）、サーバー制御部３５は、集計処理を終了する。一方、全データの集計が完了していない場合（ステップＳ１２９：Ｎｏ）、サーバー制御部３５は、ステップＳ１２３に処理を戻す。
【０１１１】
なお、ステップＳ１２３において、顧客属性情報が対象顧客層でない場合（ステップＳ１２３：Ｎｏ）、ステップＳ１２５において、販促商品を購入していない場合（ステップＳ１２５：Ｎｏ）、あるいはステップＳ１２６において、「購入回数」が「２」以上でない場合（ステップＳ１２６：Ｎｏ）、サーバー制御部３５は、ステップＳ１２９に処理を進める。
【０１１２】
図８のステップＳ１１３に戻り、集計処理を終了すると、サーバー制御部３５は、対象顧客数Ｔに基準広告料Ｂを乗算した値を、標準広告料Ａとして算出する（ステップＳ１１４）。この基準広告料Ｂは、店舗側と広告主との間で予め定めた対象顧客数一人あたりの広告料とする。  
標準広告料Ａを算出すると、サーバー制御部３５は、対象顧客数Ｔ、販売総数Ｎ、及び再購入者数Ｒに基づいて、成功報酬を算出する成功報酬算出処理を開始する（ステップＳ１１５）。
【０１１３】
具体的には、成功報酬算出処理を開始すると、サーバー制御部３５は、図１０に示すように、対象顧客数Ｔが顧客数閾値を上回るか否かを判定する（ステップＳ１３１）。なお、顧客数閾値は、広告主が予め定めた値であって、対象顧客数Ｔの目標人数を示す値とする。
【０１１４】
対象顧客数Ｔが顧客数閾値を上回る場合（ステップＳ１３１：Ｙｅｓ）、サーバー制御部３５は、対象顧客数Ｔから顧客数閾値を減算したのち、基準広告料Ｂ、及び第１係数を乗算した値を、顧客数成功報酬Ｘとして算出する（ステップＳ１３２）。なお、第１係数は、広告主と店舗側とで予め定めた適宜の値であって、例えば、「０」より大きく、かつ「１」より小さい値などとする。
【０１１５】
顧客数成功報酬Ｘを算出すると、サーバー制御部３５は、販売総数Ｎが販売数閾値を上回るか否かを判定する（ステップＳ１３３）。なお、販売数閾値は、広告主が予め定めた値であって、広告媒体に係る広告費用を回収できる販売総数Ｎを示す値とする。
【０１１６】
販売総数Ｎが販売数閾値を上回る場合（ステップＳ１３３：Ｙｅｓ）、サーバー制御部３５は、販売総数Ｎから販売数閾値を減算したのち、基準広告料Ｂ、及び第２係数を乗算した値を、販売総数成功報酬Ｙとして算出する（ステップＳ１３４）。なお、第２係数は、広告主と店舗側とで予め定めた適宜の値であって、例えば、「０」より大きく、かつ「１」より小さい値などとする。
【０１１７】
販売総数成功報酬Ｙを算出すると、サーバー制御部３５は、再購入者数Ｒが再購入者閾値を上回るか否かを判定する（ステップＳ１３５）。なお、再購入者閾値は、広告主が予め定めた値であって、再購入者数Ｒの目標人数を示す値とする。
【０１１８】
再購入者数Ｒが再購入者閾値を上回る場合（ステップＳ１３５：Ｙｅｓ）、サーバー制御部３５は、再購入者数Ｒから再購入者閾値を減算したのち、基準広告料Ｂ、及び第３係数を乗算した値を、再購入者数成功報酬Ｚとして算出する（ステップＳ１３６）。なお、第３係数は、広告主と店舗側とで予め定めた適宜の値であって、例えば、「０」より大きく、かつ「１」より小さい値などとする。
【０１１９】
再購入者数成功報酬Ｚを算出すると、サーバー制御部３５は、顧客数成功報酬Ｘと、販売総数成功報酬Ｙと、再購入者数成功報酬Ｚとを加算した値を、成功報酬Ｃとして算出する（ステップＳ１３７）。その後、サーバー制御部３５は、成功報酬算出処理を終了する。
【０１２０】
なお、ステップＳ１３１において、対象顧客数Ｔが顧客数閾値以下の場合（ステップＳ１３１：Ｎｏ）、サーバー制御部３５は、ステップＳ１３３に処理を進める。  
また、ステップＳ１３３において、販売総数Ｎが販売数閾値以下の場合（ステップＳ１３３：Ｎｏ）、サーバー制御部３５は、ステップＳ１３５に処理を進める。  
また、ステップＳ１３５において、再購入者数Ｒが再購入者閾値以下の場合（ステップＳ１３５：Ｎｏ）、サーバー制御部３５は、ステップＳ１３７に処理を進める。
【０１２１】
図８のステップＳ１１５に戻り、成功報酬算出処理を終了すると、サーバー制御部３５は、ステップＳ１１３で算出した標準広告料Ａに、ステップＳ１１５で算出した成功報酬Ｃを加算した値を、広告主が店舗側に支払う広告料Ｄとして算出するとともに、サーバー記憶部３３に記憶させる（ステップＳ１１６）。その後、サーバー制御部３５は、広告料算出処理を終了する。
【０１２２】
このようにして算出した広告料Ｄを、サーバー制御部３５は、詳細な説明を省略したプリンタに送信し、対象顧客数Ｔ、販売総数Ｎ、再購入者数Ｒ、標準広告料Ａ、成功報酬Ｃ、及び広告料Ｄを、例えば請求書として印刷出力させる。
【０１２３】
以上のような広告媒体、広告媒体を配置したレジカウンター１、及び広告料算出システム１１は、顧客に認知され易く、広告効果の向上を期待することができる。  
具体的には、例えば、顧客が財布に視線を向けた場合であっても、顧客の視界に天板広告シール５、側面広告シール６、及び載置台広告シール７が入り易くなる。これにより、天板広告シール５、側面広告シール６、及び載置台広告シール７は、顧客に認知され易くなり、広告効果の向上を期待することができる。
【０１２４】
また、天板広告シール５、側面広告シール６、及び載置台広告シール７によって、筐体表面がラッピングされたレジカウンター１としたことにより、レジカウンター１を利用する顧客や、その周辺を通過する顧客など不特定多数の顧客に天板広告シール５、側面広告シール６、及び載置台広告シール７が認知され易くなる。このため、天板広告シール５、側面広告シール６、及び載置台広告シール７の広告効果をより一層期待することができる。
【０１２５】
また、天板広告シール５、側面広告シール６、及び載置台広告シール７よりも顧客の視界に入り易い旗状広告物８、床面広告シール９、及び立体広告物１０によって、広告媒体の広告効果をさらに期待することができる。
【０１２６】
また、店舗サーバー３０のサーバー制御部３５に、顧客属性情報が、広告媒体に印刷された販促商品の売り込み対象である対象顧客を示す場合、対象顧客を一人として、対象顧客の人数を示す対象顧客数Ｔに加算する処理と、対象顧客数Ｔに基づいて広告料Ｄを算出する処理とを備えた広告料算出システム１１としたことにより、レジカウンター１に貼付される広告媒体であっても、広告媒体の広告料Ｄを容易に算出することができる。
【０１２７】
具体的には、広告媒体の広告効果を算出すためには、例えば、販促商品を売り込みたい年齢層などの対象顧客が、少なくとも広告媒体を認知していることが必要となる。  
一方、レジカウンター１には、不特定多数の顧客に認知され易い状態で広告媒体が配置されているため、レジカウンター１を利用した顧客を、広告媒体を認知した顧客として容易にみなすことができる。
【０１２８】
そこで、顧客属性情報が対象顧客を示す場合、対象顧客を一人として対象顧客数Ｔに加算する処理により、広告料算出システム１１は、広告媒体を認知した対象顧客を定量化するとともに、対象顧客数Ｔを広告効果として算出することができる。そして、対象顧客数Ｔに基づいて広告料Ｄを算出する処理により、広告料算出システム１１は、対象顧客数Ｔに応じた広告料Ｄを容易に算出することができる。
【０１２９】
さらに、レジカウンター１を利用した顧客の人数よりも対象顧客数Ｔの方が少ないため、広告料算出システム１１は、レジカウンター１を利用した全ての顧客が広告媒体を認知したものとして広告料Ｄを算出した場合に比べて、広告主が店舗へ支払う広告料Ｄを抑えることができる。
【０１３０】
加えて、店舗に支払う広告料Ｄから対象顧客数Ｔを容易に逆算できるため、広告主は、顧客情報や販売実績データなどの店舗が保有する情報を受け取ることなく、対象顧客数Ｔに対する費用対効果を算出することができる。
【０１３１】
従って、広告料算出システム１１は、レジカウンター１に貼付される広告媒体であっても、広告媒体の広告料Ｄを顧客属性情報に基づいて容易に算出することができる。
【０１３２】
また、対象顧客数Ｔが顧客数閾値を上回る場合、対象顧客数Ｔから顧客数閾値を減算した値に対する対価を顧客数成功報酬Ｘとして算出する処理と、広告料Ｄに顧客数成功報酬Ｘを加算する処理とを、サーバー制御部３５に備えたことにより、広告料算出システム１１は、目標とする人数を上回る人数の対象顧客に広告媒体が認知された場合、広告効果に応じた恩恵を店舗及び広告主の双方が受けるようにすることができる。
【０１３３】
具体的には、対象顧客数Ｔが顧客数閾値を上回った場合、すなわち目標とする人数を上回る人数の対象顧客に広告媒体が認知された場合、広告料Ｄに顧客数成功報酬Ｘが加算されるため、広告料算出システム１１は、レジカウンター１が広告媒体でラッピングされた店舗側が得る利益を増やすことができる。
【０１３４】
この際、対象顧客数Ｔから顧客数閾値を減算した値に基づいて顧客数成功報酬Ｘを算出するため、広告料算出システム１１は、対象顧客数Ｔに基づいて顧客数成功報酬を算出する場合に比べて、広告料Ｄの大幅な増加を抑制することができる。
【０１３５】
このため、広告料算出システム１１は、顧客数成功報酬Ｘを支払った場合であっても、広告主の負担を抑制することができる。  
さらに、顧客数成功報酬Ｘによって店舗側の協力を得やすくなるため、広告主は、店舗での販促商品の販売促進活動をより容易にすることができる。
【０１３６】
これにより、広告料算出システム１１は、広告料Ｄに加えて顧客数成功報酬Ｘを得るという恩恵を店舗側が受けやすくすることができ、かつ広告媒体による恩恵を店舗側が受けることで、販売促進活動が容易になるという恩恵を広告主が受けやすくすることができる。
【０１３７】
従って、広告料算出システム１１は、目標とする人数を上回る人数の対象顧客に広告媒体が認知された場合、広告料Ｄに顧客数成功報酬Ｘを加算することで、店舗及び広告主の双方が恩恵を受けるようにすることができる。
【０１３８】
また、対象顧客が販促商品を購入したか否かを、販売実績テーブル３３ａに基づいて判定する処理と、対象顧客が販促商品を購入した場合、販促商品の購入数量を、販促商品の販売総数Ｎに加算する処理と、販売総数Ｎが販売数閾値を上回る場合、販売総数Ｎから販売数閾値を減算した値に対する対価を販売総数成功報酬Ｙとして算出する処理と、広告料Ｄに販売総数成功報酬Ｙを加算する処理とを、サーバー制御部３５に備えたことにより、広告料算出システム１１は、目標とする販売数を上回る数量の販促商品が購入された場合、店舗及び広告主の双方が恩恵を受けるようにすることができる。
【０１３９】
具体的には、販売総数Ｎが販売数閾値を上回った場合、すなわち目標とする販売数を上回る数量の販促商品が購入された場合、広告料Ｄに販売総数成功報酬Ｙが加算されるため、広告料算出システム１１は、レジカウンター１が広告媒体でラッピングされた店舗側が得る利益を増やすことができる。
【０１４０】
さらに、販促商品の販売総数Ｎから販売数閾値を減算した値に基づいて販売総数成功報酬Ｙを算出しているため、広告料算出システム１１は、対象顧客が購入した販売総数Ｎに基づいて販売総数成功報酬Ｙを算出する場合に比べて、広告料Ｄの大幅な増加を抑制することができる。
【０１４１】
これにより、広告料算出システム１１は、販売総数成功報酬Ｙによって広告費用を広告主が回収できなくなることを防止できる。例えば、広告媒体にかかる広告費用相当の販売数を販売数閾値とすることで、広告主は、少なくとも広告費用を回収したうえで、販売総数成功報酬Ｙを店舗側へ支払うことができる。
【０１４２】
加えて、販売総数成功報酬Ｙから販売総数Ｎを容易に逆算できるため、広告主は、顧客情報や販売実績データなどの店舗が保有する情報を受け取ることなく、販売総数Ｎに対する費用対効果を算出することができる。
【０１４３】
従って、広告料算出システム１１は、目標とする販売数を上回る数量の販促商品が購入された場合、広告料Ｄに販売総数成功報酬Ｙを加算することで、店舗及び広告主の双方が恩恵を受けるようにすることができる。
【０１４４】
また、同一の対象顧客が販促商品を複数回購入したか否かを、販売実績テーブル３３ａに基づいて判定する処理と、同一の対象顧客が販促商品を複数回購入した場合、複数回購入した対象顧客を一人として、再購入者数Ｒに加算する処理と、再購入者数Ｒが再購入者数閾値を上回る場合、再購入者数Ｒから再購入者数閾値を減算した値に対する対価を再購入者数成功報酬Ｚとして算出する処理と、広告料Ｄに再購入者数成功報酬Ｚを加算する処理とを、サーバー制御部３５に備えることにより、広告料算出システム１１は、目標とする人数を上回る再購入者数Ｒを獲得できた場合、店舗及び広告主の双方が恩恵を受けるようにすることができる。
【０１４５】
具体的には、再購入者数Ｒが再購入者数閾値を上回った場合、すなわち目標とする人数を上回る再購入者数Ｒを獲得できた場合、店舗側は、広告料Ｄに再購入者数成功報酬Ｚが加算されるため、広告料算出システム１１は、レジカウンター１が広告媒体でラッピングされた店舗側が得る利益を増やすことができる。
【０１４６】
さらに、販促商品を複数回購入した対象顧客を顧客カードによって容易に特定できるため、広告料算出システム１１は、再購入者数Ｒをより正確に算出するとともに、再購入者数Ｒの不正な計上によって、再購入者数成功報酬Ｚを店舗側が不正に取得することを防止できる。
【０１４７】
加えて、再購入者数成功報酬Ｚから再購入者数Ｒを容易に逆算できるため、広告主は、顧客情報や販売実績データなどの店舗が保有する情報を受け取ることなく、再購入者数Ｒに対する費用対効果を算出することができる。
【０１４８】
従って、広告料算出システム１１は、目標とする再購入者数Ｒを獲得できた場合、広告料Ｄに再購入者数成功報酬Ｚを加算することで、店舗及び広告主の双方が恩恵を受けるようにすることができる。
【０１４９】
この発明の構成と、上述の実施形態との対応において、
この発明の筐体表面は、実施形態の商品流路カウンター３における天板部分３ａの表面、側面部分３ｂの表面、端末載置台４の側面部分における表面に対応し、
以下同様に、
広告媒体は、天板広告シール５、側面広告シール６、及び載置台広告シール７に対応し、
広告付レジカウンターは、レジカウンター１に対応し、
顧客属性情報は、性別を示す情報、及び年齢層を示す情報に対応し、
送信手段は、端末回線接続部２８に対応し、
ＰＯＳ端末は、ＰＯＳ装置２０に対応し、
通信回線は、第１通信回線１２に対応し、
受信手段は、サーバー回線接続部３４に対応し、
サーバーは、店舗サーバー３０に対応し、
販売実績テーブルは、集計テーブル３３ｂに対応し、
サーバー記憶手段は、サーバー記憶部３３に対応し、
テーブル登録手段、及び広告料算出手段は、サーバー制御部３５に対応し、
対象顧客数加算処理は、ステップＳ１２３：Ｙｅｓ、ステップＳ１２４、及びステップＳ１２９に対応し、
広告料算出処理は、ステップＳ１１４に対応し、
顧客数成功報酬算出処理は、ステップＳ１３１：Ｙｅｓ、及びステップＳ１３２に対応し、
成功報酬加算処理は、ステップＳ１１６に対応し、
購入判定処理は、ステップＳ１２５に対応し、
販売総数加算処理は、ステップＳ１２５：Ｙｅｓ、及びステップＳ１２６に対応し、
販売総数成功報酬算出処理は、ステップＳ１３３：Ｙｅｓ、及びステップＳ１３４に対応し、
顧客媒体は、顧客カードに対応し、
媒体情報は、カード情報に対応し、
顧客属性情報取得手段は、カード読取り部２４、端末制御部２９、第１通信回線１２、店舗サーバー３０、第２通信回線１３、及び外部サーバー４０に対応し、
再購入判定処理は、ステップＳ１２７に対応し、
再購入者数加算処理は、ステップＳ１２７：Ｙｅｓ、及びステップＳ１２８に対応し、
再購入者数成功報酬算出処理は、ステップＳ１３５：Ｙｅｓ、及びステップＳ１３６に対応するが、
この発明は、上述の実施形態の構成のみに限定されるものではなく、多くの実施の形態を得ることができる。
【０１５０】
例えば、顧客属性として、性別、及び年齢層としたが、これに限定せず、年齢、職業などであってもよい。あるいはこれらを適宜組み合わせた属性としてもよい。  
また、顧客数閾値を、対象顧客の目標人数を示す値としたが、これに限定せず、対象顧客数Ｔに対する費用対効果の目標値を示す値、あるいは適宜に設定した値などとしてもよい。
【０１５１】
販売数閾値を、広告媒体に係る広告費用を回収できる販売総数Ｎを示す値としたが、これに限定せず、販売総数Ｎに対する費用対効果の目標値を示す値、あるいは適宜に設定した値などとしてもよい。  
再購入者数閾値を、再購入者数Ｒの目標人数を示す値としたが、これに限定せず、再購入者数Ｒに対する費用対効果の目標値を示す値、あるいは適宜に設定した値などとしてもよい。
【０１５２】
また、顧客カードのカード情報に基づいて、外部サーバー４０から顧客属性情報を取得する構成としたが、これに限定せず、氏名、性別、及び生年月日などをカード情報として登録した顧客カードをカード読取り部２４で読み取ることで、顧客属性情報を取得する構成としてもよい。
【０１５３】
また、図８のステップＳ１１２において、集計テーブル３３ｂに基づいて集計処理を行ったが、これに限定せず、集計テーブル３３ｂを作成せず、販売実績テーブル３３ａに基づいて集計処理を行ってもよい。
【０１５４】
また、店舗サーバー３０の販売実績テーブル３３ａから集計テーブル３３ｂを作成して店舗ごとの広告料Ｄを算出したが、これに限定せず、外部サーバー４０の販売実績集約ファイル４１ｂに基づいて、店舗ごとの広告料Ｄを算出してもよい。あるいは、全ての店舗における広告料Ｄを算出してもよい。
【０１５５】
また、店舗サーバー３０において、広告料算出処理を終了したのち、対象顧客数Ｔ、販売総数Ｎ、再購入者数Ｒ、標準広告料Ａ、成功報酬Ｃ、及び広告料Ｄを、請求書として印刷出力したが、これに限定せず、広告主に対してメール等で通知するようにしてもよい。
【０１５６】
また、図１０のステップＳ１３２において、対象顧客数Ｔから顧客数閾値を減算した値に、基準広告料Ｂ、及び第１係数を乗算したが、これに限定せず、対象顧客数Ｔから顧客数閾値を減算した値に、予め定めた対象顧客数一人あたりの成功報酬を乗算する構成としてもよい。
【０１５７】
また、図１０のステップＳ１３４において、販売総数Ｎから販売数閾値を減算した値に、基準広告料Ｂ、及び第２係数を乗算したが、これに限定せず、販売総数Ｎから販売数閾値を減算した値に、予め定めた販促商品１つあたりの成功報酬を乗算する構成としてもよい。
【０１５８】
また、図１０のステップＳ１３６において、再購入者数Ｒから再購入者閾値を減算した値に、基準広告料Ｂ、及び第３係数を乗算したが、これに限定せず、再購入者数Ｒから再購入者閾値を減算した値に、予め定めた再購入者数一人あたりの成功報酬を乗算する構成としてもよい。  
また、店舗ごとの対象顧客数Ｔ、販売総数Ｎ、及び再購入者数Ｒを、例えば、重ね合せるように地図上に表示して、販促商品の販売動向などを確認可能にしてもよい。
【符号の説明】
【０１５９】
１…レジカウンター
３…商品流路カウンター
３ａ…天板部分
３ｂ…側面部分
４…端末載置台
５…天板広告シール
６…側面広告シール
７…載置台広告シール
１１…広告料算出システム
１２…第１通信回線
１３…第２通信回線
２０…ＰＯＳ装置
２４…カード読取り部
２８…端末回線接続部
２９…端末制御部
３０…店舗サーバー
３４…サーバー回線接続部
３３…サーバー記憶部
３３ｂ…集計テーブル
３５…サーバー制御部
４０…外部サーバー
Ｄ…広告料
Ｎ…販売総数
Ｒ…再購入者数
Ｔ…対象顧客数
Ｘ…顧客数成功報酬
Ｙ…販売総数成功報酬
Ｚ…再購入者数成功報酬
【図１】
2016206451.tif 000003
【図２】
2016206451.tif 000004
【図３】
2016206451.tif 000005
【図４】
2016206451.tif 000006
【図５】
2016206451.tif 000007
【図６】
2016206451.tif 000008
【図７】
2016206451.tif 000009
【図８】
2016206451.tif 000010
【図９】
2016206451.tif 000011
【図１０】
2016206451.tif 000012